(57)【要約】【目的】簡単、容易に飲料瓶から内容物をこぼす事がなく飲料することができるドリンク用マウスを提供すること。【構成】飲料瓶のドリンク用マウスは、拡開部側を飲み口とする漏斗部１と、この漏斗部１の下部に形成して瓶口４ａに当接する鍔部２と、瓶口４ａ内に嵌合する嵌合部３とからなり、前記嵌合部３は水平方向への弾発性を有し、その外径が瓶口４ａの内径よりやや大径からなり、嵌合部３の下部から上方には上下方向に複数の切欠３ｂが形成され、切欠３ｂ間を足部３ａとし、足部３ａの外面には瓶内の内周面に係合する係合突部３ｃが設けられている。【選択図】　図１
2004142760.tif 000002
【特許請求の範囲】
【請求項１】
拡開部側を飲み口とする漏斗部と、この漏斗部の下部に形成して瓶口に当接する鍔部と、瓶口内に嵌合する嵌合部とからなり、
前記嵌合部は水平方向への弾発性を有し、その外径が瓶口の内径よりやや大径からなり、嵌合部の下部から上方には上下方向に複数の切欠が形成され、切欠間を足部とし、足部の外面には瓶内の内周面に係合する係合突部が設けられていることを特徴とする飲料瓶のドリンク用マウス。
【発明の詳細な説明】
【０００１】
【産業上の利用分野】
本発明は飲料瓶のドリンク用マウス、例えばビール瓶から直接ビールを飲む際に使用するドリンク用マウスに関する。
【０００２】
【従来の技術】
従来、内容物が勢いよく放出される事がないようにすべく、容器本体と注出口との間に容器本体との連通口を備えた流速制御部を設け、内容物が容器本体内から連通口を経て流速制御部内に流入する際に、その流入方向の流速がなくなるようにする流速制御機構を備えた容器が知られている（特許文献１参照）。
【０００３】
【特許文献１】特開平１１−１２３４号公報
【０００４】
【発明が解決しようとする課題】
かかる流速制御機構を備えた容器では、不用意に容器をつかんでも内容物が勢いよく放出されることはないが、構造が複雑で、簡単、容易に内容物の放出ができなかった。
また、例えば、ビール瓶から直接ビールを飲む際、瓶口が小さく飲みずらく、コップに入れ替えてビールを飲んでおり、手間がかかっていた。
更に、ビール瓶の瓶口が小さいので、口をすぼめてビールを飲まないと、ビールがこぼれるので、ビール瓶から直接ビールが飲みずらい。
【０００５】
本発明は、かかる点に鑑みなされたもので、簡単、容易に飲料瓶から内容物をこぼす事がなく飲料することができるドリンク用マウスを提供することを目的とする。
【０００６】
【課題を解決するための手段】
上記目的を達成すべく、本発明にかかる飲料瓶のドリンク用マウスは、拡開部側を飲み口とする漏斗部と、この漏斗部の下部に形成して瓶口に当接する鍔部と、瓶口内に嵌合する嵌合部とからなり、前記嵌合部は水平方向への弾発性を有し、その外径が瓶口の内径よりやや大径からなり、嵌合部の下部から上方には上下方向に複数の切欠が形成され、切欠間を足部とし、足部の外面には瓶内の内周面に係合する係合突部が設けられていることを特徴とする。
【０００７】
かかる飲料瓶のドリンク用マウスは、瓶口内に嵌合する嵌合部を瓶口に差込むと、前記嵌合部は水平方向への弾発性を有し、その外径が瓶口の内径よりやや大径からなり、嵌合部の下部から上方には上下方向に複数の切欠が形成されているため、切欠間を足部が瓶の内面に密接すると共に、足部の外面には瓶内の内周面に係合する係合突部が設けられているので、係合突部が瓶に係合する。
漏斗部の下部に形成して瓶口に当接する鍔部が形成されているので、鍔部によって、内容物がこぼれることもない。
漏斗部は拡開部側を飲み口としているので、内容物をこぼすことなく飲むことができる。
【０００８】
【発明の実施の形態】
本発明にかかる一実施例を図１乃至図３に基ずいて説明し、他の実施例を図４に基ずき説明する。
飲料瓶のドリンク用マウスは、例えば透明なプラスチックからなり、図１に示す様に、拡開部側１ａを飲み口とする漏斗部１と、この漏斗部１の下部１ｂに形成して瓶口４ａに当接する鍔部２と、瓶口４ａ内に嵌合する嵌合部３とからなり、この嵌合部３は水平方向への弾発性を有し、その外径Ｙが瓶口４ａの内径Ｘよりやや大径からなり、嵌合部３の下部から上方には上下方向に複数の切欠３ｂが形成され、切欠３ｂ間を足部３ｃとし、足部３ｃの外面には瓶内の内周面に係合する係合突部３ｃが設けられる。
【０００９】
ドリンク用マウスは、実施例では透明なプラスチックからなり形成しているが、色はこれに限るものではなく、色彩付きのものであっても良く、例えば、緑、赤、黄色等で形成することもでき、又、模様を付けたりしても良い。模様としては、例えば、宣伝用の広告、写真の印刷物であってもよい。
また、実施例ではプラスチックを素材としているが、金属製、木製であっても良い。
【００１０】
漏斗部１は、上部の拡開部側１ａを飲み口とし、上端部の口の当たる部分が湾曲状に形成され、口当たりを良くしている。
【００１１】
漏斗部１は、その下部１ｂに鍔部２が漏斗部１と一体に形成されている。鍔部２は瓶口４ａに当接する形状からなり、ドリンク用マウスを瓶口４ａに差込んだ際、鍔部２が瓶口４ａに密接して、内容物の漏れを防止している。
【００１２】
鍔部２の下面に瓶口４ａとの密接を良くする為、弾性を有するゴム材を設けても良く、かかる場合には、鍔部２と瓶口４ａとの密接をより確実にすることができる。
また、弾性を有するパッキン状のクッション材を設けても良く、鍔部２と瓶口４ａとの密接をより確実にすることができる。
この鍔部２の下部には、瓶口４ａ内に嵌合する嵌合部３が鍔部２と一体に形成されている。
【００１３】
この嵌合部３は、中空の円柱形状からなり、図３に示す様に、その外径Ｙが瓶口４ａの内径Ｘよりやや大径で、嵌合部３の下部から上方には上下方向に４箇所の切欠３ｂが形成されている。
切欠３ｂは実施例では４箇所としているが、これに限るものではなく、２箇所以上で例えば、５箇所、１０箇所でも良い。
【００１４】
この切欠３ｂ間は足部３ｃで、ドリンク用マウスを瓶口４ａに差込んだ際、足部３ｃが水平方向への弾発性を有しているので、足部３ｃが弾発力により瓶口４ａの内面に係合している。
【００１５】
さらに、足部３ｃの外面には瓶内の内周面に係合する係合突部３ｃが設けられ、足部３ｃの瓶口４ａの内面への係合状態の強化を図っている。
【００１６】
この係合突部３ｃは足部３ｃの周方向に設けられ、先端が湾曲状に形成され、瓶口４ａの内面との接触面を大きくし、係合突部３ｃと瓶口４ａの内面との係合状態をより強化している。
【００１７】
さらに、足部３ｃの下部には、ドリンク用マウスを瓶口４ａに差込む際、足部３ｃを差込みやすくする為、内側に傾斜する傾斜部３ｄが形成されている。
【００１８】
また、嵌合部３の上部である鍔部２側には、段部３ｅが周方向に形成され、内容物の漏れ防止を図っている。
【００１９】
かかるドリンク用マウスは、瓶口４ａ内に嵌合する嵌合部３を瓶口４ａに差込むと、嵌合部３は水平方向への弾発性を有し、その外径Ｙが瓶口４ａの内径Ｘよりやや大径からなり、嵌合部３の下部から上方には上下方向に切欠３ｂが形成されているため、切欠３ｂ間を足部３ａが瓶の内面に密接すると共に、足部３ａの外面には瓶内の内周面に係合する係合突部３ｃが設けられているので、係合突部３ｃが瓶に係合する。
【００２０】
漏斗部１の下部に形成して瓶口４ａに当接する鍔部２が形成されているので、この鍔部２が瓶口４ａに密接することにより、内容物がこぼれることもない。
【００２１】
漏斗部１は拡開部１ａ側を飲み口としているので、内容物をスムーズに飲むことができる。
【００２２】
図４は他の実施例で、漏斗部１１における拡開部１１ａ側の飲み口の形状を異にしている。
すなわち、飲みやすくする為、あさがお形状から形成している。他は、前述した実施例と同様である。
【００２３】
【発明の効果】
本発明によれば、瓶口内に嵌合する嵌合部を瓶口に差込むと、前記嵌合部は水平方向への弾発性を有し、その外径が瓶口の内径よりやや大径からなり、嵌合部の下部から上方には上下方向に複数の切欠が形成されているため、切欠間を足部が瓶の内面に密接すると共に、足部の外面には瓶内の内周面に係合する係合突部が設けられているので、容易に係合突部が瓶に係合する。
漏斗部の下部に形成して瓶口に当接する鍔部が形成されているので、鍔部によって、内容物がこぼれることもない。
漏斗部は拡開部側を飲み口としているので、内容物をこぼすことなく簡単・容易に飲むことができる。
【図面の簡単な説明】
【図１】本発明にかかる一実施例のドリンク用マウスの正面図である。
【図２】図１に示すドリンク用マウスの使用状態の正面図である。
【図３】ａは図１に示すドリンク用マウス底面図でｂは瓶の上面図ある。
【図４】本発明にかかる他の実施例のドリンク用マウスの正面図である。
【符号の説明】
漏斗部　　　　１
瓶口　　　　４ａ
鍔部　　　　　２
嵌合部　　　　３
切欠　　　　３ｂ
足部　　　　３ａ
係合突部　　３ｃ
【図１】
2004142760.tif 000003
【図２】
2004142760.tif 000004
【図３】
2004142760.tif 000005
【図４】
2004142760.tif 000006